(57)【要約】【課題】  インパクト時のパワーの集中と、高さ・コース別に正確にバットの芯でボールをとらえる対応力を身につけ、バットスイングの基本型を体得する素振り練習器具を提供する。【解決手段】  自動車のホイール付きタイヤ（１２）の中央に取付けられたアングル主柱（１）の頂部の合成ゴム（５）をインパクトポイントとし、インパクト時の打突音の音の違いを聞き分けてスイングの良否を判断する。心地よい音と手首へのしびれを感ずることがないことを最良のスイングとして、インパクト時のパワーの大きさ、グリップの状態、並びにバットヘッドの軌道の状態をチェックして、スイングの基本型を体得することを特長とする素振り練習器具。【選択図】  図１
2007190320.tif 000002
【特許請求の範囲】
【請求項１】
（イ）コースを想定した反復練習が一人で出来るように、高さ方向については、アングル柱に取付けられた上下スライド板を上下に移動をさせて位置決めし、左右方向についても、タイヤ上部のホームベース板の移動によって、コース選択できることを特長とする素振り練習器具。
（ロ）自動車タイヤの内側のゴム面を底面とし、ホイール付タイヤのほぼ中央に取付けられたアングル柱には垂直方向に板状の合成ゴムが取付けられ、その上部自由端面をインパクトポイントとして、バットとの打突音の音の違いでスイングの良否を瞬時にして判断できることを特長とする素振り練習器具。
（ハ）前記（ロ）の自動車タイヤの内側ゴム面を設置面とすることが出来るので、屋内施設の練習においても、床面を傷つける恐れがないので、設置場所を限定する必要がなく、また、倒れる心配もないので、連続した素早い動作にも対応できることを特長とする安全・安心な素振り練習器具。
（ニ）前記（ロ）のアングル柱の先端部に取付けられた板状の合成ゴムより、更に高く垂直方向に伸びた弾性部材ポールをポール管に差し込み、その上にボールをセットすることにより、瞬時にして守備ノック用のティに転用することができ、より実践に近い状態での守備力の向上に繋げられることを特長とする素振り練習器具。
以上の構成よりなる野球の素振り練習器具。
【発明の詳細な説明】
【技術分野】
【０００１】
この発明は、野球のバットスイングの練習で、インパクト時のパワーの集中と高さ・コース別にバットの芯でボールをとらえる対応力を身につけ、スイングの基本型を体得する素振り練習器具に関するものである。
【背景技術】
【０００２】
従来、野球の素振り練習において、インパクトポイントを確認しながら練習する方法として、ボールをティー台に置いて打つか、補助者にボールをトスしてもらって打ち返すトスバッティングか、あるいは少し離れた距離から軽く投げられたボールをワンバウンドで打ち返すペッパーという方法でバッティングのフォームづくりをしていた。
【特許文献１】特開平０９−０７５４９２号公報
【発明の開示】
【発明が解決しようとする課題】
【０００３】
これは、次のような欠点があった。
（イ）ボールを打つたびに自身でボールをティー台に載せるか、あるいは補助者とチームを組んで練習を手伝ってもらわねばならず、その練習にも多くのボールを必要とし、また打ったボールの回収にも相当の時間を要した。
（ロ）バットの芯をインパクトポイントとして捕えることが出来ないために起こる手首への負担と、インパクト時の衝撃でティー台そのものが倒れ危険であった。
（ハ）インパクト時の打突音の音の判別が難しいために、スイングの適否のチェックが曖昧であった。
（ニ）ティーを支える基盤がスチール製であったり、アンカーボルト等で床面に固定せねばならないために、屋内施設での練習に制限があった。
本発明は、以上のような欠点をなくすためになされたものである。
【課題を解決するための手段】
【０００４】
本発明の野球の素振り練習器具は、コースを想定した反復練習が一人で出来るように、まず垂直方向はアングル柱（１）に取付けられた上下スライド板（４）を上下に移動をさせて位置決めし、水平方向についてはホームベース板（１０）をインコース・アウトコースあるいは真中の中からコース選択をして、それぞれ上下スライド調整ボルト（８）及び左右スライド調整ボルト（１１）で設定する。そして、そのアングル柱（１）より垂直方向に伸ばして取付けられた板状の合成ゴム（５）の上部自由端面をインパクトポイントとして、スイングの基本型を体得することを特長とする素振り練習器具。
【０００５】
インパクト時の瞬間にいかにパワーを集中させることができたかどうか、またバットの芯で捕えたかどうかは、前記の板状の合成ゴム（５）の板面とバットとの打突音の音の違いで判断をし、心地よい音と手首へのしびれを感ずることがないことを最良のスイングとして瞬時にして判断することができ、また打突によって起きるゴムの折れ曲がりによる疲労切断の防止をはかるために緩衝材として、同種の合成ゴム（振れ止め）（６）で挟んだことを特長とする素振り練習器具。
【０００６】
前記のアングル柱（１）などの金属部分を自動車のホイール付タイヤ（１２）にボルト（１３）で固定することによって、タイヤの内側ゴム面を設置面とすることが出来るので、屋内施設での練習においても床面を傷つける恐れがないので、設置場所を限定する必要がなく、また、ホイールとタイヤの重量そのものが安定性をもたらし、連続した素早い動作にも対応できることを特長とする安全・安心な素振り練習器具。
【０００７】
前記のアングル柱（１）の先端部に取付けられた板状の合成ゴム（５）より、更に垂直方向に高く伸びる弾性部材ポール（１６）をポール管（１５）に差し込み、その頂部にボール（１７）をセットすれば、簡単に守備ノック用のティに転用することができ、ノッカーの動作を事前予測してフットワークする選手の動きを一瞬でも予測不可能にして、より実践に近い状態での守備力の向上に繋げられることを特長とする素振り練習器具。
本発明は、以上の構成よりなる野球の素振り練習器具である。
【発明の効果】
【０００８】
垂直方向に取付けられた被打突部材の合成ゴムの上部自由端面をインパクトポイントとしてバットで打突しても、その合成ゴムがもつ蘇生変形によって一定に保てるので、素早い動作で反復練習をすることができ、ボールを打つたびに補助者に手伝ってもらうとか、あるいは自身で１個１個ボールをティー台に載せるとか、打ったボールを回収するとかの、本来の練習目的とは別の付随作業に要する時間を大幅に節約できること。
【０００９】
被打突部材を消耗品とするならば、被打突部材の合成ゴムにガラス繊維入の合成ゴムを使用することによる耐久性、さらに同種の合成ゴムで被打突部分を挟むことによって打突時の合成ゴムの曲げ変形を緩衝し、繰り返し折れ曲がることによって起きる疲労切断の遅延がはかれるので、長持ちさせることによる経済効果がはかれること。
【００１０】
インパクトポイントの設定に際し、高さ・コースともそれぞれスライド調整が可能であり、スイングによるインパクト時のバットと板状の合成ゴムとの打突音の音の違いを聞き分けることにより、心地よい音と手首へのしびれを感ずることがないことを最良のスイングとして、インパクト時のパワーの大きさ、グリップの状態、並びにバットヘッドの軌道を瞬時にしてチェックできること。
【００１１】
自動車のホイールとタイヤの重量そのものがアンカーの役目を果たしているので、インパクト時の衝撃でもティー台そのものが倒れる恐れがなく、安心して連続したスイング練習ができること。
【００１２】
被打突部材の合成ゴムが垂直方向に上向きに自由端として取付けられ、その巾もほぼボールの大きさと同等であり、インパクト後もバットを振り切ることができるので、インパクトポイントをバットの芯で捕えることができなかった場合に起こる手首への負担も大幅に軽減できること。
【００１３】
降雨時または降雪時の屋内施設での練習であっても、設置面が自動車のゴムタイヤであることから、床面を傷つける事がないので設置場所に制限がないこと。
【００１４】
補助のポール管に弾性部材ポールを差し込み、その頂部に野球ボールをセットすれば、簡単に守備ノックにも転用して使用することができるので、ノッカーの動作を事前予測してフットワークする選手の動きを、一瞬でも予測不可能にして、より実践に近い状態での守備力の向上にも寄与することができること。
【発明を実施するための最良の形態】
【００１５】
以下、本発明を実施するための最良の形態について説明する。
自動車のホイール付きタイヤ（１２）の中央に、ホイール径より大きい平鋼板を２枚縦置きにした柱脚支持板（２）に溶接された垂直に伸びたアングル主柱（１）が、柱脚固定ボルト（１３）によって固定され、その頂部には板状のガラス繊維入合成ゴム（５）が同種同材の振れ止め（６）に挟まれ固定金具（７）によって取付けられている。また柱脚支持板（２）の上部にはホームベース板（１０）が置かれ、器具利用者の意図によって、高さ・コースともに上下スライド調整ボルト（８）左右スライド調整ボルト（１１）によってそれぞれ調整できるようになっている。図１、図２。
まず、器具利用者が上記をセットした後、インパクト時の正確なグリップの状態を創って位置決めして構えて立ち、スイングを始動する。そのスイングによるバットと板状の合成ゴム（５）とのインパクト時の打突音の音の違いを聞き分け、良否を判断する。心地よい音と手首へのしびれを感ずることがないことを最良のスイングとし、インパクト時のパワーの大きさ、グリップの状態、並びにバットヘッドの軌道の状態をチェックする。    図７。
また、アングル柱（１）の先端部に取付けられた板状の合成ゴム（５）より、更に高く垂直方向に伸びる弾性部材ポール（１６）をポール管（１５）に差し込み、その頂部にボール（１７）をセットして守備ノック用のティに転用し、ノッカーの動作を事前予測してフットワークする選手の動きを一瞬でも予測不可能にして、より実践に近い状態での守備力の向上に繋げる。図５、図７。
本発明は、以上のような構造でこれを使用するときは、屋内外を問わず使用することができ、バットスイングの基本的な対応力を身につけることによって、より高度な技術力を無理なく体得することができる野球の素振り練習器具である。
【図面の簡単な説明】
【００１６】
【図１】本発明の斜視図
【図２】本発明の分解斜視図
【図３】本発明の平面図
【図４】本発明の要部斜視図
【図５】本発明の正面図
【図６】本発明の断面図（Ａ−Ａ断面）
【図７】本発明の断面図（Ｂ−Ｂ断面）
【符号の説明】
【００１７】
１            アングル柱
２            柱脚支持板（ダブル）
３            柱脚支持板（シングル）
４            上下スライド板
５            ガラス繊維入合成ゴム
６            ガラス繊維入合成ゴム（振れ止め）
７            ゴム板固定金具
８            上下スライド調整ボルト
９            取付け用ボルト
１０            ホームベース板（硬質素材）
１１            左右スライド調整ボルト
１２            自動車ホイール付タイヤ
１３            柱脚固定ボルト
１４            柱脚固定座板
１５            ポール管
１６            弾性部材ポール
１７            野球ボール
【図１】
2007190320.tif 000003
【図２】
2007190320.tif 000004
【図３】
2007190320.tif 000005
【図４】
2007190320.tif 000006
【図５】
2007190320.tif 000007
【図６】
2007190320.tif 000008
【図７】
2007190320.tif 000009